(57)【要約】【課題】容器全体を傾ける動作を行うことで内容物を所定量だけ簡単に注出することができ、容器本体が計量部と一体化していることにより内容物をこぼすことなく正確に所定量だけ注ぎ出すことができる、計量機能付き容器を提供することを目的とする。 【解決手段】  内容物を入れた容器の上に、側面に計量機能を備えた空間のある計量器体を設置して、計量器体の一方の側面部に計量部を有し、他方の側面部に注出口を有することにより、容器本体を計量部側に傾ける動作で計量して、注出口側に傾けることで計量した分だけ内容物を排出できる計量機能付き容器。【選択図】  図1
2006232407.tif 000002
【特許請求の範囲】
【請求項１】
内容物の収納に用いられる容器本体と、
上記容器本体の上部に設けられる計量機能を有した計量器体とを備えている計量機能付き容器であって、
前記計量器体について、
一方の側面部に計量部を有し、
他方の側面部に注出口を有し、
上記計量器体の底面部について、
上記容器本体の内容物を上記計量部へ注ぎ出す注出筒を有し、
上記容器本体から上記計量器体へ貫通した空気孔を有し、
上記計量器体内から上記計量機能付き容器外へ貫通した小空気孔を有する構造になっており、
上記計量機能付き容器を上記計量部側に傾ける動作により、上記計量部内に内容物を一時的に溜めることで所定量を計量することができ、次に上記注出口側に傾ける動作で上記内容物の所定量を上記注出口から注ぎ出すことを特徴とする計量機能付き容器。
【請求項２】
請求項1の計量機能付き容器が正立時において、上記計量器体の底面部にある上記注出筒の先端部が、上記計量器体の底面部よりも高い位置に飛び出している構造になっている請求項1に記載されている計量機能付き容器。
【請求項３】
上記計量器体の底面部について、上記注出筒が上記計量部に近い位置に有し、上記空気孔下部が上記注出口に近い位置に有し、上記空気孔上部が上記計量部に近い位置に有する構造になっている請求項1または請求項2に記載されている計量機能付き容器。
【請求項４】
上記計量部の側壁部に、複数の異なる所定量を計量するための計量目盛りが形成されている請求項1から請求項3のいずれかに記載されている計量機能付き容器。
【請求項５】
上記計量機能付き容器を上記計量部側に傾ける動作で上記計量部に溜まった内容物を上記計量目盛りで計量して、次に上記計量機能付き容器を正立状態にしたとき、上記計量部に溜まった上記内容物を再度計量できるように、上記計量器体の底面部から胴部の側面にかけて、複数の異なる所定量を計量するための計量目盛りが形成されている請求項1から請求項4のいずれかに記載されている計量機能付き容器。
【発明の詳細な説明】
【技術分野】
【０００１】
本発明は計量機能付き容器であって、その容器を傾けることで、内容物を所定量だけ注ぎ出すことができるものに関する。
【背景技術】
【０００２】
従来技術は、容器本体と計量機能付きキャップが着脱自在になっており、容器本体の内容物を定量供給する場合には、計量機能付きキャップを容器本体から取外し、容器本体から注出される内容物を計量機能付きキャップによって計量使用するものである。
【特許文献１】特開平08-217078号公報
【発明の開示】
【発明の効果】
【０００３】
本発明の計量機能付き容器は、傾ける動作だけで内容物を正確に計量し、簡単に手早く注ぎ出すことができる。
【０００４】
そのため、料理時において、本発明の計量容器を使うことにより、調味料を手軽で簡単に正確な分量だけ注ぎ出すことができるため、内容物を注ぎすぎることなく、分量を確認しながら注ぎ出すことができる。
【発明が解決しようとする課題】
【０００５】
これまでの計量機能付き容器は、計量機能をキャップに有する容器が多く、キャップ本体の締め付け力が弱いと、容器とキャップの間で内溶液が漏れることがある。あるいは、最初の内はキャップと本体がしっかりと締め付けられていても、使用するにつれて徐々にキャップが緩んできて容器とキャップの接続が悪くなることもある。
【０００６】
また上記のような計量キャップ付き容器は、一度キャップを外して計量する必要があるため、内容物を計量して注出するときに、片手を使って容器本体を持ち、もう片方の手を使ってキャップを持ちながら所定量をキャップに注ぎ込む必要があり、誤ってキャップに内容物を必要以上に多く注ぎ込むことでこぼしてしまうことや、キャップに内容物をうまく注ぎ込むことが出来ずにこぼしてしまう恐れがある。
【０００７】
本発明は、上記のような従来の構造が有していた問題を解決しようとするものであり、容器全体を傾ける動作を行うことで内容物を所定量だけ簡単に注ぎ出すことができ、容器本体が計量部と一体化していることにより内容物をこぼすことなく正確に所定量だけ注ぎ出すことができる、計量機能付き容器を提供することを目的とする。
【課題を解決するための手段】
【０００８】
内容物の収納に用いられる容器本体と、
上記容器本体の上部に設けられる計量機能を有した計量器体とを備えている計量機能付き容器であって、
前記計量器体について、
一方の側面部に計量部を有し、
他方の側面部に注出口を有し、
上記計量器体の底面部について、
上記容器本体の内容物を上記計量部へ注ぎ出す注出筒を有し、
上記容器本体から上記計量器体へ貫通した空気孔を有し、
上記計量器体内から上記計量機能付き容器外へ貫通した小空気孔を有する構造になっており、
上記計量機能付き容器を上記計量部側に傾ける動作により、上記計量部内に内容物を一時的に溜めることで所定量を計量することができ、次に上記注出口側に傾ける動作で上記内容物の所定量を上記注出口から注ぎ出すことを特徴とする。
【０００９】
請求項1の計量機能付き容器が正立時において、上記計量器体の底面部にある上記注出筒の先端部が、上記計量器体の底面部よりも高い位置に飛び出している構造になっている。
【００１０】
上記計量器体の底面部について、上記注出筒が上記計量部に近い位置に有し、上記空気孔下部が上記注出口に近い位置に有し、上記空気孔上部が上記計量部に近い位置に有する構造になっている。
【００１１】
上記計量部の側壁部に、複数の異なる所定量を計量するための計量目盛りが形成されている。
【００１２】
上記計量機能付き容器を上記計量部側に傾ける動作で上記計量部に溜まった内容物を上記計量目盛りで計量して、次に上記計量機能付き容器を正立状態にしたとき、上記計量部に溜まった内容物を再度計量できるように、上記計量器体の底面部から胴部の側面にかけて、複数の異なる所定量を計量するための計量目盛りが形成されていることを特徴とする。
【発明を実施するための最良の形態】
【００１３】
以下、本発明の計量機能付き容器の実施形態を図1から図9に基づいて説明する。
【００１４】
図1から図9に示す計量機能付き容器aは、内容物を収納するための容器本体3と、この容器本体3の上部に取り付けられる計量器体2と、計量器体2の上部に取り付けられるキャップ本体1で構成されている。
【００１５】
キャップ1の構造について、計量器体2の内部側から計量機能付き容器aの外に貫通するための小空気孔4を設け、計量器体上部専用接続部16とキャップ専用接続部17をねじ式で固定することで、計量器体2と接続する。
【００１６】
計量器体2の構造について、一方の側面部に計量部8を有し、他方の側面部に注出口11を有し、計量器体2の底面部10について、容器本体3にある内容物21を計量部8へ注ぎ出す注出筒9を有し、容器本体3から計量器体2へ貫通した空気孔15を有している構造になっている。計量部8の形状は半球状に限らず、四角柱や三角柱、三角錐等の形状でもかまわない。また、計量部8の側壁部には、複数の異なる所定量を計量するための計量目盛り7が形成されている。
計量器体2の底面部10にある空気孔15の上部は弾力性チューブ差込用突起物14になっており、弾力性チューブ本体12を差し込める構造になっている。弾力性チューブ本体12を弾力性チューブ差込用突起物14に差し込み、弾力性チューブ本体12の上部を弾力性チューブ上部固定用突起物6に挟めることで、弾力性チューブ本体12を固定することができる。この弾力性チューブ本体12は、ゴム、またはビニールの素材が好ましい。
空気孔15の上部が弾力性チューブ本体12と取り外しが可能となることで、計量器体2の内部及び空気孔15を洗浄することが容易となり、衛生面でも優れた構造となっている。
ただし、本発明は、計量器体2の底面部10において空気孔下部23が注出口11と近い位置に有し、空気孔上部5が計量部8と近い位置に有している構造であれば、図9のように弾力性チューブ本体12を有していない構造でもよい。
【００１７】
また、計量器体2の底面部10から胴部の側面にかけて、複数の異なる所定量を計量するための計量目盛り13を設けており、底面部10において、内容物22が計量目盛り13の部分に集まりやすくするため、側面に計量部8のある後方から、側面に注出口11のある前方にかけて傾斜をつけている。その計量器体2の底面部10の傾斜程度は、図5の状態に傾けた時に計量部8に溜まった内容物22を、図6の状態である正立状態に起こした際、一度溜まった内容物22がその底面部10を伝って計量器体2の前方に滑り落ちるように、その計量器体2の底面部10が前方から後方に向かうに従い上方に向かうように設定されている。傾斜については、図9のように計量器体2の底面部10が、前方から後方に向かうに従い下方に向かうような構造であってもよい。
【００１８】
容器本体3について、容器本体専用接続部18と計量器体下部専用接続部19をねじ式で固定することにより、計量器体2と接続することができ、容器本体3の中に液体や固体状の内容物を保管することができる構造になっている。
【００１９】
次に、本発明で上記課題を解決するための手段による作用を、図1から図9に基づいて、説明をする。
【００２０】
第一段階として、図4の状態で容器本体3の中に内容物21を入れる。
【００２１】
第二段階として、容器全体を図5の状態まで傾けることにより、内容物21が注出筒9を伝って、計量部8に内容物22が溜まる。このとき、溜まった内容物22は、計量目盛り7を使うことで、複数の異なる所定量を計量することができる。計量器体2の底面部10において注出口11側に空気孔15を設け、反対側の位置である計量部8側に注出筒9を設ける構造になっていることで、図5の状態まで傾けた時に、内容物21が空気孔15をふさぐことを防ぐ構造になっており、内容物21が注出筒9を伝って計量部8にスムーズに注出することができる。また、計量器体2の底面部10において計量部8側に空気孔上部5、及び注出筒9を設けることにより、図5の状態で計量部8に一度溜まった内容物22を図7の状態まで傾けることで注出口11から注ぎ出す際に、容器本体3にある内容物21が空気孔上部5、または、注出筒9を伝って計量器体2内部へ流れ込むことを防ぐ構造となっている。
【００２２】
第三段階として、図5の状態から図6の状態に起こす際、底面部10が傾斜になっていることにより、計量部8に溜まっていた内容物22が底面部10を伝って滑り落ち、計量目盛り13で必要な分量を再度正確に計量することができる。
計量目盛り13を使い再度計量した結果、必要な分量より内容物が少ない場合は、再度、図5の状態まで傾けることで必要な分量を足すことができる。
反対に、計量器体2内に必要な分量より多く内容物22を注出してしまった場合は、計量目盛り13が計量目盛り7よりも多く、細かく記載されていることにより、必要な分量のみ内容物を注出口11から注ぎ出せるようになっている。
また、図6の正立状態の時、注出筒9が底面部10よりも上方の位置に飛び出していることにより、計量部8で計量した内容物22が注出筒9を伝って計量器体2から容器本体3に流れ落ちない構造になっている。
【００２３】
第四段階として、図7の位置に傾けることで内容物22が底面部10を伝って、注出口11から出ることにより、計量目盛り7、又は、計量目盛り13で計量した分量を注ぐことができる。
【産業上の利用可能性】
【００２４】
調味料やインスタントコーヒー類、洗剤、醤油さしなど液体だけでなく固体を保存する容器としても利用が可能である。
目盛りの量や、計量容器の大きさを変えることにより、幅広い用途で保存容器に利用することが可能である。
【図面の簡単な説明】
【００２５】
【図１】本発明の計量機能付き容器の透視図
【図２】本発明の計量機能付き容器の断面図
【図３】本発明の計量機能付き容器の組み立て図
【図４】計量機能付き容器に内容物を入れた状態での正立状態における透視図
【図５】図4の状態から計量部が下になるように90度傾けた状態での計量機能付き容器の透視図
【図６】図5の状態から90度起こした正立状態での計量機能付き容器の透視図
【図７】図6の状態から注出口が下になるように傾けた状態での計量機能付き容器の透視図
【図８】図6の状態から90度傾けて注出口が下になっている状態での計量機能付き容器の透視図
【図９】図1に示す参考例の計量機能付き容器の透視図
【符号の説明】
【００２６】
a    計量機能付き容器
1    キャップ本体
2    計量器体
3    容器本体
4    小空気孔
5    空気孔上部
6    弾力性チューブ上部固定用突起物
7    計量目盛り
8    計量部
9    注出筒
10  底面部
11  注出口
12  弾力性チューブ本体
13  計量目盛り
14  弾力性チューブ差込用突起物
15  空気孔
16  計量器体上部専用接続部
17  キャップ専用接続部
18  容器本体専用接続部
19  計量器体下部専用接続部
20  弾力性チューブ下部
21  内容物
22  内容物
23  空気孔下部
【図１】
2006232407.tif 000003
【図２】
2006232407.tif 000004
【図３】
2006232407.tif 000005
【図４】
2006232407.tif 000006
【図５】
2006232407.tif 000007
【図６】
2006232407.tif 000008
【図７】
2006232407.tif 000009
【図８】
2006232407.tif 000010
【図９】
2006232407.tif 000011